(57)【要約】  この自動問診システムは、被問診対象者の利便性と医師による対面診療の迅速化を図るとともに、医療全般の効率化を実現する。この自動問診システムは、問診で判断する症状を絞り込むために、問診データを３階層に分けて順次問診票を携帯電話に送信する。第３の問診票に対する入力データを受信すると、自動問診システムは、この入力データに対応する疾病名/診療科目名データを読み出して、この読み出された疾病名/診療科目名データに基づいて問診結果データを生成する。
2011016447.tif 000002
【特許請求の範囲】
【請求項１】
通信端末から通信回線網を介して問診要求を受け付けて、この通信端末に問診票を表示させ、この問診票に対して前記通信端末により入力された入力データに基づいて、問診結果データを生成し、この問診結果データを前記通信端末に表示させるサーバを備えた自動問診システムであって、
前記サーバは、
身体上の部位又は上位の症状を格納した第１問診データ格納手段と、
前記第１問診データ格納手段の各部位で認められる症状又は前記上位の症状に対応する中位の症状を格納した第２問診データ格納手段と、
前記第２問診データ格納手段の各症状を程度別に細分化した下位の症状を格納した第３問診データ格納手段と、
前記第１乃至第３問診データ格納手段から前記問診データを読み出して前記問診票を生成する問診票生成手段と、
疾病名とこの疾病名に対して診察可能な診療科目名とを対応させた疾病名/診療科目データ格納手段と、
前記入力データに対応する疾病名/診療科目名を前記疾病名/診療科目データ格納手段から読み出して問診結果データを生成する問診結果生成手段とを備え、
前記問診票生成手段は、前記第１問診データ格納手段から問診データを読み出して第１問診票を生成し、前記第２問診データ格納手段から、前記第１問診票に対する第１入力データに対応する問診データを読み出して第２問診票を生成し、前記第３問診データ格納手段から、この第２問診票に対する第２入力データに対応する問診データを読み出して第３問診票を生成し、前記問診結果生成手段は、前記第３問診票に対する第３入力データに基づいて上記疾病名/診療科目名を読み出すことを特徴とする自動問診システム。
【請求項２】
前記疾病名/診療科目データ格納手段は前記第３問診データに対応した１以上の疾病名データを有し、各疾病名データは、前記第３問診データから推測される罹患可能性について所定の係数を付与することによって重み付けされ、前記問診結果生成手段は、前記疾病名/診療科目データ格納手段から、疾病名／診療科目データから疾病名/診療科目名とともに前記係数が読み出され、読み出された疾病名/診療科目名及び前記係数から問診結果データを生成することを特徴とする請求項１記載の自動問診システム。
【請求項３】
前記問診結果生成手段は、単一の前記疾病名データに対応する第３問診データから第３入力データが複数入力されると、この入力された第３問診データで付与されている各係数を加算し、前記単一の疾病名データに対する係数を求める演算手段を有することを特徴とする請求項２記載の自動問診システム。
【請求項４】
前記問診結果生成手段は、前記係数が、所定の閾値以上の疾病名データと一致する疾病名を疾病名／診療科目データ格納手段から読み出すことを特徴とする請求項２または請求項３記載の自動問診システム。
【請求項５】
前記入力データに被問診対象者の属性データを含め、前記演算手段は、入力された属性データに基づいて、前記係数に対して所定の数値を増減させることを特徴とする請求項２から請求項４までのいずれかに記載の自動問診システム。
【請求項６】
前記サーバは前記属性データを登録する属性データ登録手段を有し、前記演算手段は、前記第３入力データを入力した被問診対象者の属性データを前記属性データ登録手段から読み出して、前記係数に対して読み出された属性データに基づく前記所定の数値の増減を行うことを特徴とする請求項５記載の自動問診システム。
【請求項７】
前記サーバは病院情報格納手段を有し、前記問診結果生成手段は、前記読み出された疾病名/診療科目データに該当する診療が可能な病院に関する病院情報を前記病院情報格納手段から読み出して、問診結果データに含めることを特徴とする請求項１から請求項６までのいずれかに記載の自動問診システム。
【請求項８】
前記病院情報には、病院情報が表示された前記通信端末から、前記通信回線網を介して病院の予約が可能な予約入力フォームデータが含まれていることを特徴とする請求項７記載の自動問診システム。
【請求項９】
前記問診結果生成手段は、複数の疾病名に対して、前記病院情報格納手段から各々異なる病院情報データが読み出されると、問診結果データを前記係数の降順で疾病名を並び替えるとともに、これらの疾病名に前記各病院情報を対応させて生成することを特徴とする請求項７又は請求項８記載の自動問診システム。
【請求項１０】
前記問診結果生成手段は、前記病院情報格納手段から、同一の疾病名に対して複数の病院情報が読み出されると、問診結果データによって表示される複数の病院情報を前記通信端末から前記通信回線を介して指定された所定のソート条件に従って並び替えて生成することを特徴とする請求項７又は請求項８記載の自動問診システム。
【請求項１１】
前記問診結果生成手段は、前記読み出された病院情報のうち、前記通信端末から入力されたキーワードと一致する情報を含む病院情報を検索する検索手段を有し、この検索によって絞り込まれた病院情報データに基づいて前記並び替えを行うことを特徴とする請求項９又は請求項１０記載の自動問診システム。
【請求項１２】
前記予約入力フォームデータから病院の予約を行う場合に、問診結果データに表示されている病院情報のうち既に受診した病院があるときは、前記予約データの送信とともに、この受診した病院の診断結果データを転送することを特徴とする請求項８から請求項１１までのいずれかに記載の自動問診システム。
【請求項１３】
前記診断結果データは、前記属性データの既往歴として属性データ登録手段に追加されることを特徴とする請求項１２記載の自動問診システム。
【請求項１４】
前記問診結果データで表示された疾病名と前記診断結果データで最終的に診断された疾病名との一致率を算出するフィードバック処理手段を有し、この一致率を前記係数とともに、各疾病名データに付与することを特徴とする請求項１２記載の自動診断システム。
【請求項１５】
前記サーバは商品/サービス情報格納手段を有し、前記問診結果生成手段は、前記読み出された疾病名/診療科目データに対して関連する商品またはサービス情報を前記商品/サービス情報格納手段から読み出して、問診結果データにこの読み出された商品またはサービス情報を含めて出力することを特徴とする請求項１から請求項１４までのいずれかに記載の自動問診システム。
【請求項１６】
前記問診結果データに含まれる商品/サービス情報には、この商品/サービス情報が表示された前記通信端末から、前記通信回線網を介して商品の購入データ、サービスの申込データを送信するための購入/申込入力フォームデータが含まれることを特徴とする請求項１５記載の自動問診システム。
【請求項１７】
前記問診結果生成手段は、前記所定の閾値未満の疾病名データに対して、関連する商品またはサービス情報を前記商品/サービス情報格納手段から読み出して、この読み出した商品またはサービス情報に基づいて問診結果データを生成することを特徴とする請求項１５または請求項１６記載の自動問診システム。
【請求項１８】
コンピュータを請求項１から請求項１７のいずれかに記載のサーバとして機能させるプログラム。
【請求項１９】
通信端末から通信回線網を介して問診要求を受け付けて、この通信端末に問診票を表示させ、この問診票に対して前記通信端末により入力された入力データに基づいて、問診結果データ生成し、この問診結果データを前記通信端末に表示させる自動問診方法であって、
前記問診要求があると、身体上の部位又は上位の症状が列挙された第１問診票を生成し、前記通信端末に送信するステップと、
この第１問診票に対して前記通信端末で身体上の部位又は上位の症状から選択がなされた第１入力データを受信するステップと、
前記受信した第１入力データに対応する身体上の部位で認められる症状又は前記上位の症状に対応する中位の症状を列挙した第２問診票を生成し、前記通信端末に送信するステップと、
この第２問診票に対して前記通信端末で、前記身体上の部位で認められる症状又は前記中位の症状から選択がなされた第２入力データを受信するステップと、
受信した前記第２入力データに対応する各症状を程度別に細分化した下位の症状を列挙した第３問診票を生成し、前記通信端末に送信するステップと、
この第３問診票に対して前記通信端末で、前記下位の症状から選択がなされた第３入力データを受信するステップと、
予め、第３問診票に列挙された前記下位の症状に対応させた疾病名及び診療科目名のデータを格納し、前記第３入力データに対応する疾病名及び診療科目名を読み出すステップと、
読み出された疾病名及び診療科目名を問診結果データとして前記通信端末に送信するステップとを有し、
前記疾病名には、第３問診データごとに罹患可能性を示す係数を付して重み付けをし、前記疾病名及び診療科目名を読み出すときに、併せてこの係数も読み出して問診結果データに含めることを特徴とする自動問診方法。
【請求項２０】
前記下位の症状から複数の選択がなされた第３入力データにより読み出された疾病名に複数の係数が付されている場合は、各係数を加算して前記問診結果データに表示する係数とすることを特徴とする請求項１９記載の自動問診方法。
【請求項２１】
前記係数に対して所定の閾値を設け、前記読み出された係数又は加算された係数がこの所定の閾値以上の場合は、前記問診結果データに、前記係数と共に前記疾病名及び診療科目名を表示し、閾値未満の場合は、前記問診結果データとして表示すべき疾病名が存在しないことを表示することを特徴とする請求項１９又は請求項２０記載の自動問診方法。
【発明の詳細な説明】
【技術分野】
【０００１】
本発明は、通信端末から通信回線網を介して自動的に問診を行う自動問診システム、自動問診プログラム及び自動問診方法に関する。
【背景技術】
【０００２】
近年、携帯電話等の携帯通信端末の高機能化に伴い、この通信端末を利用した各種サービスが提案されている。医療分野においても、インターネット網等の通信回線網を介して前記通信端末で問診を行うシステムが多数提案されている。このようなシステムでは、前記通信端末から前記インターネット網を介して問診要求を受け付け、この通信端末に問診票を表示させ、この問診票に対して前記通信端末により入力された入力データに基づいて、問診結果データを生成し、この問診結果データを前記通信端末に表示させるサーバを備えている。【０００３】
たとえば、ユーザ端末装置からの検索要求に基づいて、問診表をユーザ端末装置に送信し、記入済みの問診表を受信すると、これを分析してユーザの症状にあった最寄りの医療機関を検索し、検索結果をユーザ端末装置に送信し、このユーザ端末装置からの診療予約指示に基づいて、医療機関の端末装置に診療予約を行う医療機関の予約システムが提案されていた（特許文献１：特開２００３−３０３２５号公報）。この特許文献によれば、ユーザが前記端末装置から、自分の症状にあった最寄りの医療機関を予約することができる。【０００４】
また、利用者端末から自覚症状の入力があると、入力された自覚症状基づいて診療科目を検索し、検索された診療科目と前記利用者を診察できる病院を抽出し、この病院又は診療科目を特定する情報を前記利用者端末に送信する病院紹介システムが提案されていた（特許文献２：特開２００３−２５６５８０号）。この特許文献によれば、利用者の自覚症状に適した診療科目を持つ病院を特定して情報を提供するので、利用者側、病院側双方にとって効率的な受診、診断が可能になる。【０００５】
さらに、データベースから第１の質問群における各質問を読み出し、第１の質問群における各質問に対する被診断者の回答に応じて、データベースにおける第１の関係値を参照して罹患の可能性のある１または複数の疾病を特定し、データベースから第２の質問群における各質問を読み出し、第２の質問群における各質問に対する回答に基づいて、第２の関係値を参照して、前記特定された疾病のそれぞれについて罹患可能性を示すスコアを計算する診断装置が提案されていた（特許文献３：特開２００４−１２６９８１号）。この特許文献によれば、被診断者が罹患していると考えられる疾病を定量的に分析し、正確に特定することができる。
【先行技術文献】
【特許文献】
【０００６】
【特許文献１】特開２００３−３０３２５号公報
【特許文献２】特開２００３−２５６５８０号公報
【特許文献３】特開２００４−１２６９８１号公報
【発明の概要】
【０００７】
前記各従来技術では、いずれも、通信回線網を介して行う問診の内容について体系化されておらず、前記各従来技術を利用して得られた問診結果が必ずしも実際に診断する医師にとって有効なものとはいえない可能性がある。
【０００８】
即ち、特許文献１によれば、ユーザが記入済みの問診表を分析し、ユーザの症状にあった最寄りの医療機関を検索すると記載されているが、問診表の内容がどのような体系になっており、どのように分析するかについて具体的な記載は見当たらない。
【０００９】
特許文献２によれば、複数の質問項目（発明の実施の形態、段落番号００２３の記載によれば、１０〜２０程度の質問項目）が含まれており、この質問数及び内容は「病名を求めるのではなく、単に診療科目を決定すればよい」と記載されている。しかし、問診の具体的な体系は示されていない。
【００１０】
特許文献３によれば、問診する質問を２つの群に分け、段階的に第１の質問群から第２の質問群に移り、最終的に罹患可能性を数値化することができる。しかしながら、具体的な各質問群の内容は、たとえば、発明の実施の形態、段落番号００５２などに記載されている通り、最終的に数値として落とし込むレベルに行き着く必要があるため、症状次第では質問の数が多数になるおそれがあり、被診断者にとっては煩わしい操作を強いるおそれがあった。
【００１１】
本発明が属する技術分野では、被問診対象者が携帯電話等の通信端末を利用して問診に対する応答をするという前提があるため、画面サイズに制限があり、入力の操作性及び利便性が比較的低い環境であるということを考慮しなければならない。まして、入力操作に不慣れな老人や、そもそも体調のすぐれない利用者にとって、煩わしい操作は、第１に回避しなればならない問題である。しかしながら、前記従来技術では、この入力操作に関する点については必ずしも配慮されていなかった。
【００１２】
一方で、簡易な問診システムであっても、医療行為の「入り口」にあって初動を誤ると、治療の遅れが起因して重大な医療ミスを惹き起こすおそれもあり、問診内容を単純に簡素化したのでは、問診システムの本質を損なうおそれがある。また、問診システムにある程度の医療的裏づけがなければ、結局、複数の診療科目や病院を紹介しても、事実上、いわゆるドクターショッピングの指標を与えるだけになってしまう可能性が高く、医療費の無駄遣い、医師との信頼性喪失等、弊害が大きくなるおそれがあった。
【００１３】
ところで、一般に医師が患者に対して最初に問診を行う場合（以下「初動の問診」という。）、問診結果として判断される疾病に対して「グレーゾーン」とよばれる境界領域が存在する。即ち、ある疾病に対して、正確に陽性と判断される確率（感度）と正確に陰性と判断される確率（特異度）があり、最初の問診で判断される疾病名に関しては、およそ９０％〜９６％の範囲で判断できればよいとされている。この範囲を超える前後２％〜５％（感度から外れる部分を「擬陽性」、特異度から外れる部分を「偽陰性」という）については、陽性と判断されても実際は陰性であり、陰性と判断されても実際は陽性である可能性も否定できない。この領域では、単一の検査だけでは特定できない、換言すれば、初動の問診だけでは判断できない領域である。従って、徒に問診の精度を上げるのではなく、初動の問診の本質を反映した問診システムを構築すれば、医師は対面診療において、問診の手間の省略又は軽減を図ることができ、ひいては医療全般の効率化を図ることができる。
【００１４】
本発明は、前記初動の問診の本質、問診の限界を踏まえ、被問診対象者の利便性と医師による対面診療の迅速化を図るとともに、医療全般の効率化を実現する自動問診システム、自動問診プログラム及び自動問診方法を提供することを目的とする。
【００１５】
本発明にかかる自動問診システムは、通信端末から通信回線網を介して問診要求を受け付けて、この通信端末に問診票を表示させ、この問診票に対して前記通信端末により入力された入力データに基づいて、問診結果データを生成し、この問診結果データを前記通信端末に表示させるサーバを備えた自動問診システムでる。前記サーバは、身体上の部位又は上位の症状を格納した第１問診データ格納手段と、前記第１問診データ格納手段の各部位で認められる症状又は前記上位の症状に対応する中位の症状を格納した第２問診データ格納手段と、前記第２問診データ格納手段の各症状を程度別に細分化した下位の症状を格納した第３問診データ格納手段と、前記第１乃至第３問診データ格納手段から前記問診データを読み出して前記問診票を生成する問診票生成手段と、疾病名とこの疾病名に対して診察可能な診療科目名とを対応させた疾病名/診療科目データ格納手段と、前記入力データに対応する疾病名/診療科目名を前記疾病名/診療科目データ格納手段から読み出して問診結果データを生成する問診結果生成手段とを備える。前記問診票生成手段は、前記第１問診データ格納手段から問診データを読み出して第１問診票を生成し、前記第２問診データ格納手段から、前記第１問診票に対する第１入力データに対応する問診データを読み出して第２問診票を生成し、前記第３問診データ格納手段から、この第２問診票に対する第２入力データに対応する問診データを読み出して第３問診票を生成する。前記問診結果生成手段は、前記第３問診票に対する第３入力データに基づいて上記疾病名/診療科目名を読み出す。
【００１６】
本システムの問診データは３階層で構成されている。通常、医師が行う対面診療における初動の問診も、３階層の問診を順次行うことによって進められる。従って、医師にとっては、ルーチン的に行われる問診が、本システムを利用することにより、対面診療以前に終了していることになる。また、被問診対象者にとっては、前記通信端末を介して行われる問診への応答は、この３階層の３つの質問に対して応答すればよいことになる。  
【００１７】
なお、複数の疾病名が候補として挙げられた場合は、第３入力データの内容に従って各疾病名に係数を付与して重み付けをしてもよい。このとき、前記入力データが複数あった場合、前記係数は加算すればよい。また、問診結果として表示する疾病名、診療科目名は、所定の閾値以上でもよい。さらに、属性データを数値化して前記係数に増減させるようにして、重み付けの精度を上げる様にしてもよい。
【００１８】
問診結果データとして、表示された前記診療科目名に対応させて、この診療科目名に該当する診療が可能な病院情報を表示させるようにしてもよい。また、この表示された病院情報から前記通信端末を通じて予約ができるように、この病院情報に予約入力フォームデータを含ませるようにしてもよい。なお、前記問診結果データとして、複数の疾病名が表示される場合には、前記係数の降順で疾病名とこれに対応する病院情報を表示させるようにしてもよい。一方、一つの疾病名に対して複数の病院情報が表示される場合は、所定のソート条件に従ってこれらの病院情報を並び替えるようにしてもよい。このソート条件には、たとえば、前記通信端末から入力されたキーワードと一致情報を含む病院情報のみに絞り込んで表示させることも含まれる。
【００１９】
前記予約入力フォームデータから病院の予約を行う場合に、問診結果データに表示されている病院情報のうち既に受診した病院があるときは、前記予約データの送信とともに、この受診した病院の診断結果データを転送するようにしてもよい。
【００２０】
前記問診結果データで表示される疾病名と前記診断結果データで最終的に診断された疾病名との一致率を算出し、この一致率を前記係数とともに、各疾病名データに付与するフィードバック処理機能を付加することも可能である。
【００２１】
前記問診結果データとして、前記読み出された疾病名/診療科目データに対して関連する商品またはサービス情報を含めて出力するようにしてもよい。この商品/サービス情報には、この商品/サービス情報が表示された前記通信端末から、前記通信回線網を介して商品の購入データ、サービスの申込データを送信するための購入/申込入力フォームデータが含まれるようにしてもよい。なお、前記所定の閾値未満の疾病名データに対して、関連する商品またはサービス情報に基づいて問診結果データを生成するようにしてもよい。
【００２２】
コンピュータを上記各サーバとして機能させるプログラムも本発明の範囲に含まれる。
【００２３】
本発明にかかる自動問診方法は、通信端末から通信回線網を介して問診要求を受け付けて、この通信端末に問診票を表示させ、この問診票に対して前記通信端末により入力された入力データに基づいて、問診結果データ生成し、この問診結果データを前記通信端末に表示させる自動問診方法である。この自動問診方法は、前記問診要求があると、身体上の部位又は上位の症状が列挙された第１問診票を生成し、前記通信端末に送信するステップと、この第１問診票に対して前記通信端末で身体上の部位又は上位の症状から選択がなされた第１入力データを受信するステップと、前記受信した第１入力データに対応する身体上の部位で認められる症状又は前記上位の症状に対応する中位の症状を列挙した第２問診票を生成し、前記通信端末に送信するステップと、この第２問診票に対して前記通信端末で、前記身体上の部位で認められる症状又は前記中位の症状から選択がなされた第２入力データを受信するステップと、受信した前記第２入力データに対応する各症状を程度別に細分化した下位の症状を列挙した第３問診票を生成し、前記通信端末に送信するステップと、この第３問診票に対して前記通信端末で、前記下位の症状から選択がなされた第３入力データを受信するステップと、予め、第３問診票に列挙された前記下位の症状に対応させた疾病名及び診療科目名のデータを格納し、前記第３入力データに対応する疾病名及び診療科目名を読み出すステップと、読み出された疾病名及び診療科目名を問診結果データとして前記通信端末に送信するステップとを有する。前記疾病名には、第３入力データごとに罹患可能性を示す係数を付して重み付けをし、前記疾病名及び診療科目名を読み出すときに、併せてこの係数も読み出して問診結果データに含める。
【００２４】
前記下位の症状から複数の選択がなされた第３入力データにより、読み出された疾病名に複数の係数が付された場合は、各係数を加算して前記問診結果データに表示する係数としてもよい。また、前記係数に対して所定の閾値を設け、前記読み出された係数又は加算された係数がこの所定の閾値以上の場合にのみ前記問診結果データとして表示するようにしてもよい。
【００２５】
本発明によれば、通常、医師が行う対面診療における初動の問診レベルの内容に絞込み、かつ、被問診対象者が入力するための問診事項を３階層に集約して分類することにより、入力操作が簡易化され、利便性が向上し、医師の問診の手間を軽減することにより、医師による対面診療の迅速化を図るとともに、医療全般の効率化を実現するという効果を奏する。
【００２６】
また、病院情報のほか、関連する商品、サービス情報も提供することにより、より広範な情報を提供することが可能となり、利便性の向上に資するという効果を奏する。
【００２７】
さらに、被問診対象者（あるいは患者）主導で対応可能なデータを提供することにより、前記被問診対象者の適切な行動をアドバイスすることが可能になり、主観的な独断で決定されがちなドクターショッピングを回避することができるという効果も奏する。
【図面の簡単な説明】
【００２８】
【図１】図１は本発明にかかる自動問診システムの構成図である。
【図２】図２は第１の実施形態にかかるサーバのブロック構成図である。
【図３】図３は第１乃至第３問診票の表示例を示す図である。
【図４】図４は問診結果の表示例を示す図である。
【図５】図５は第２の実施形態にかかるサーバのブロック構成図である。
【図６】図６ａは係数テーブルを示す図であり、図６ｂは係数計算テーブルを示す図である。
【図７】図７は係数を伴う問診結果の表示例を示す図である。
【図８】図８は問診結果を生成する処理フローを示す図である。
【図９】図９は第３の実施形態にかかるサーバのブロック構成図である。
【図１０】図１０は病院一覧を伴う問診結果の表示例を示す図である。
【図１１】図１１は病院予約フォームの表示例を示す図である。
【図１２】図１２は病院一覧をソートする画面の表示例を示す図である。
【図１３】図１３は第４の実施形態にかかるサーバのブロック構成図である。
【図１４】図１４はフィードバック処理工程の概略を示す図である。
【図１５】図１５は第５の実施形態にかかるサーバのブロック構成図である。
【図１６】図１６は商品/サービス情報を伴う問診結果の表示例を示す図である。
【発明を実施するための形態】
【００２９】
〔第１の実施形態〕
図１を参照して、本発明にかかる自動問診システムを説明する。自動問診システムのサーバ１は、通信回線網（本実施の形態では、インターネット網Ｎ）を介して、複数の通信端末（本実施の形態では３つの携帯電話ｍ１〜ｍ３）と通信可能に接続されている。本実施の形態では、説明の便宜上、携帯電話を使用した例で説明しているが、通信端末はこれに限定されない。また、通信端末の数も３に限定されない。後述するように、サーバ１及び携帯端末ｍ１〜ｍ３は、所定の病院の通信端末ｈ、商品の販売及びサービスの受付をする店舗の通信端末ｓとも、インターネット網Ｎを介して通信可能に接続されている。
【００３０】
本システムは、携帯電話ｍ１〜ｍ３（以下総称して「携帯電話Ｍ」という）からインターネット網Ｎを介してサーバ１に問診要求の信号を送信すると、サーバ１から問診票が送信されて携帯電話Ｍに表示させ、この問診票に対する応答を入力することで、サーバ１から携帯電話Ｍに問診結果を表示させるものである。この問診結果には、前記病院や店舗に関する情報も含まれ、携帯電話Ｍと病院の通信端末ｈ、店舗の通信端末ｓとのデータ通信も可能である。
【００３１】
図２はサーバ１のブロック構成図である。なお、以下、第１の実施形態乃至第５の実施形態で説明するサーバ１の各機能は、ＣＰＵ（図示せず）及びメモリ（図示せず）による制御、演算、加工等によって実行される。
【００３２】
携帯電話Ｍからの問診要求をインターネット網Ｎを介して、サーバ１の送受信部１０１で受信し、問診票生成部１０２に問診票生成の要求がなされる。問診票生成部１０２では、まず、前記問診票生成の要求に対して、第１問診データ格納部１０３から問診データを読み出して、第１問診票ｍｅ１（図３）が生成され、生成された第１問診票ｍｅ１が、送受信部１０１からインターネット網Ｎを介して携帯電話Ｍに送信され、表示される。携帯電話Ｍから第１問診票ｍｅ１に対する第１入力データが入力されると、この第１入力データをインターネット網Ｎを介して送受信部１０１で受信する。
【００３３】
問診票生成部１０２では、受信した第１入力データに対応する第２問診データを第２問診データ格納部１０４から読み出し、第２問診票ｍｅ２（図３）が生成され、生成された第２問診票ｍｅ２が送受信部１０１からインターネット網Ｎを介して携帯電話Ｍに送信され、表示される。携帯電話Ｍから第２問診票ｍｅ２に対する第２入力データが入力されると、この第２入力データをインターネット網Ｎを介して送受信部１０１で受信する。
【００３４】
問診票生成部１０２では、受信した第２入力データに対応する第３問診データを第３問診データ格納部１０５から読み出し、第３問診票ｍｅ３（図３）が生成され、生成された第３問診票ｍｅ３が送受信部１０１からインターネット網Ｎを介して携帯電話Ｍに送信され、表示される。携帯電話Ｍから前記第３問診票ｍｅ３に対する第３入力データが入力されると、この第３入力データをインターネット網Ｎを介して送受信部１０１で受信する。受信した第３入力データに対応する疾病名及び診療科目名を疾病名/診療科目名データ格納部１０７から読み出し、読み出された疾病名及び診療科目名に基づいて、問診結果生成部１０６で問診結果データが生成される。この問診結果データは送受信部１０１からインターネット網Ｎを介して携帯電話Ｍに送信され、表示される。
【００３５】
図３は前記第１問診票ｍｅ１、第２問診票ｍｅ２及び第３問診票ｍｅ３の表示例を示している。第１問診票ｍｅ１は身体上の各部位又は上位の症状を画面上で選択できる形式に列挙したものである。即ち、最初に「具合の悪い部位/症状は？」という問いｍｅ１１に対して、<部位>ｍｅ１２としては、頭、顔、胸、腹、背中、腰・尻、腕、足が列挙され、上位の<症状>ｍｅ１３としては、貧血、のぼせ、亜発熱、冷え性、吐き気、胸焼け、動悸・息切れ、消化・食欲異常、肥満・痩せすぎ、睡眠障害、疲れ・倦怠感、心の悩み、精神障害が列挙されている。そして、各部位、症状にラジオボタンｒが付されているので、携帯電話Ｍの入力キーから、被問診対象者の具合の悪い部位、症状を一つ選択する。本実施の形態では、具合の悪い部位として「頭」が選択されているところを示している。
【００３６】
第２問診票ｍｅ２では、第１問診票ｍｅ１で選択された部位で認められる症状又は前記上位の症状に対応する中位の症状が列挙される。本実施の形態では、第１問診票ｍｅ１で選択された部位「頭」に対応する症状を列挙した問診票が生成される。即ち、冒頭に部位ｍｅ２１に「頭」と表示され、「症状は？」という問いｍｅ２２に対して、この部位で認められる症状（頭痛、意識障害、めまい…筋肉の異常など）を画面上で選択できるように、各々ラジオボタンｒが付された形式で列挙されている。そして、第１問診票ｍｅ１同様、携帯電話Ｍの入力キーから、被問診対象者の具合の悪い部位の症状を一つ選択すればよい。本実施の形態では、症状として「頭痛」が選択されているところを示している。
【００３７】
第３問診票ｍｅ３では、第２問診票ｍｅ２の各症状を程度別に細分化した下位の症状が列挙される。本実施の形態では、冒頭に部位の症状ｍｅ３１として第２入力データとして選択された「頭痛」が表示され、下位の症状ｍｅ３２として「急に頭を殴られるような頭痛があった」「ときどき発作的に頭痛が起こる」「ずーっと続く頭痛がある」「ここしばらく頭痛が強くなってきた」等の症状が表示されている。この第３問診票ｍｅ３では、第１問診票ｍｅ１及び第２問診票ｍｅ２と異なり、複数回答が可能であるため、各症状にチェックボックスｃが付されている。
【００３８】
本発明では、図３に示すように、被問診対象者は、３階層の問診（質問）の中から自覚症状に当てはまるものを順次選択するだけの簡単な操作ができればよいので、携帯電話の操作に不慣れな老人や体調のすぐれない者にとって操作性がよく、高い利便性がある。さらに、この３階層の問診は、一般に医師が対面診療においても、初動で行う問診手順と同様である。従って、医師にとっても初動の問診の手間が省けるか、少なくとも軽減される。この３階層に体系化された問診によって得られる問診結果は、感度又は特異度が概ね９０％〜９６％のレベルの内容であるが、これ以上の精度を上げるためには単一の検査では特定できないレベルとなるため、初動の問診には馴染まないレベルになってしまう。そこで、本発明では、問診の精度を必要以上に上げるよりも、上記被問診対象者の操作性及び利便性の向上と、医師の対面診療の迅速化並びに医療全般の効率化を図るために、問診内容を上記３階層に体系化した。
【００３９】
図４は、上記第３問診票ｍｅ３に対する第３入力データに基づいて、図２で説明した問診結果生成部１０６で生成され、携帯電話Ｍで表示される問診結果票ｒｓ１の表示例を示している。まず、冒頭欄ｒｓ１１に、上記３階層の問診に対する各入力データの内容を表示している。即ち、「部位：頭、症状：頭痛、程度：急に頭を殴られるような頭痛があった、夜の決まった時間帯に起こる頭痛」という表示がなされる。次いで、この入力データから、判断される疾病名及び診療科目名が、図２で説明した疾病名/診療科目名データ格納部１０７から読み出され、これが表示される。本実施の形態では２つの原因欄ｒｓ１２及びｒｓ１３が表示され、各原因欄には、疾病名ｒｓ１２１「△×症」、ｒｓ１３１「△△症」及び診療科目名ｒｓ１２２「○○○科」、ｒｓ１３２「□□□科」が表示されている。
【００４０】
〔第２の実施形態〕
図５は第２の実施形態にかかるサーバ１のブロック構成図である。第１の実施形態におけるサーバ１の構成要素と同一のものについては同一の符号を付し、詳細な説明は省略する。図１の自動問診システムが第２実施形態でも使用される。
【００４１】
第１の実施形態では、原因欄が複数設けられて、各々疾病名、診療科目名が記載されているが、本実施の形態では、各疾病名に対して、入力データから推測される罹患可能性を定量的に示すようにしている。
【００４２】
問診結果生成部１０６によって、疾病名/診療科目名データ格納部１０７から読み出される各疾病名データは、後述するように、第３入力データの症状に対応した罹患可能性を示す係数が付されている。即ち、前記の通り、チェックボックスが付されて選択式になっている第３問診データごとに、各疾病名データの罹患可能性を重み付けした所定の係数を付与したテーブルが設けられ、前記疾病名/診療科目名データとこの係数データとが、疾病名データを介して紐付けされて格納されている。従って、問診結果生成部１０６で生成される問診結果データには、この係数も読み出されて表示される。
【００４３】
ここで、第３入力データが複数選択されて入力された場合、一つの疾病名データに複数の係数データが付される。そこで、この複数の係数データを第３入力データが複数選択されて入力された症状に対する係数として表示するために、読み出された複数の係数を加算する演算部１０８が設けられている。
【００４４】
ところで、前記罹患可能性を示す係数は第３入力データの症状に基づく判断であるため、例えば被問診対象者が男性の場合に、女性固有の疾病名が表示されたり、被問診対象者が既往歴として摘出した部位（例えば、盲腸など）に関する疾病名が表示される可能性もある。逆に、一般的には、第３入力データから判断される疾病名の係数が低いものでも、特定の体質あるいは既往歴を有する者にとっては高い係数を付与しなければならないものもある。そこで、被問診対象者の属性から係数データの信頼性を向上させるために、携帯電話Ｍから属性データを入力できるようにし、このデータを属性データ登録部１０９に登録し、演算部１０８で係数の加算をする際に、属性データ登録部１０９から、対象となる被問診対象者の属性データを読み出して、係数データに対して所定の数値を増減させるようにしてもよい。この増減される数値は、所定の属性データに対して予め疾病名ごとに設定しておけばよい。登録された属性データと係数の読み出し/加算の基礎となる第３入力データとは、例えば、携帯電話Ｍからの問診要求をするときに、被問診対象者が氏名やＩＤなどを入力し、この入力したデータを介して紐付けるようにしておけば、読み出すことは可能である。
【００４５】
図６（ａ）は係数テーブルｔ１を示し、図６（ｂ）は係数計算テーブルｔ２を示している。係数テーブルｔ１は、横軸に第３問診データ欄（便宜上、第３問診データを番号１，２，３，４，５…ｎで表記）を縦軸に疾病名データ欄を設け、各疾病名データに、第３問診データごとの係数値が記載されている。係数値は、第３問診データの症状から、当該疾病に罹患している確率を数値化したもので、症状と疾病に因果関係がまったくないものについては係数値が「０」になっている。実際には、少なくとも第３問診データは１０００くらいのアイテムを含み、疾病名データは５００くらいのアイテムを含むことが望ましい。
【００４６】
係数計算テーブルｔ２では、疾病名データに対して係数値の演算式欄と演算結果欄とが対応している。例えば、前記係数テーブルｔ１で第３問診データのうち、１、４及び５についてチェックボックスにチェックが入力されると、○○症の演算式は、１の係数１０と４の係数０と５の係数１０の総和（即ち、１０＋０＋１０）であり、演算結果は２０となる。同様にして、疾病名○×症の演算式は０＋０＋０であり、演算結果は０、疾病名△△症の演算式は０＋３０＋０であり、演算結果は３０、疾病名△×症の演算式は２０＋１０＋１０であり、演算結果は４０となる。そして、各演算結果は各疾病名の係数となる。
【００４７】
図７は上記係数を伴う問診結果ｒｓ２の表示例を示したものである。図４で説明した事項と同じ事項については同一の符号を付し、詳細な説明は省略する。以下、第３の実施形態乃至第５の実施形態においても同様である。問診結果の生成に当たり属性データが利用された場合は、冒頭ｒｓ１１の下に属性データｒｓ２１が表示される。また、原因欄ｒｓ１２及びｒｓ１３には、疾病名ｒｓ１２１「△×症」及び診療科目名ｒｓ１２２「○○○科」の他に係数「４０」が表示され、疾病名ｒｓ１３１「△△症」及び診療科目名ｒｓ１３２「□□□科」の他に係数「３０」が表示されている。
【００４８】
図８は前記係数を含む問診結果を生成する処理フローを示した図である。以下、図１乃至図７を適宜参照しながら説明する。サーバ１は携帯電話Ｍから問診要求を受け付けると（Ｓ１）、第１問診票ｍｅ１を携帯電話Ｍに送信する（Ｓ２）。携帯電話Ｍで第１問診票ｍｅ１に対して、被問診対象者の自覚症状があらわれている部位／上位の症状のラジオボタンが選択されて第１入力データがサーバ１に送信される。サーバ１は第１入力データを受信すると（Ｓ３）、この第１入力データに対応する第２問診票ｍｅ２を生成し、携帯電話Ｍに送信する（Ｓ４）。携帯電話Ｍで第２問診票ｍｅ２に対して、被問診対象者が該当する中位の症状のラジオボタンが選択されて第２入力データがサーバ１に送信される。サーバ１は第２入力データを受信すると（Ｓ５）、この第２入力データに対応する第３問診票ｍｅ３を生成し、携帯電話Ｍに送信する（Ｓ６）。携帯電話Ｍで第３問診票ｍｅ３に対して、被問診対象者が該当する下位の症状のチェックボックスが選択されて第３入力データがサーバ１に送信される。サーバ１は第３入力データを受信すると（Ｓ７）、この選択された第３入力データに対応する疾病名、診療科目名及び係数を読み取る（Ｓ８）。このとき、第３入力データが複数の選択されている場合は、各第３入力データに対応する係数が複数読み取られることになる。そこで、疾病名とこれに対応する係数が複数読み取られたか否かを判断し（Ｓ９）、複数ある場合（Ｓ９のＮｏ）、各係数の総和を演算する（Ｓ１０）。一方、読み取られた係数が単数の場合（Ｓ９のＹｅｓ）、次のステップに進む。なお、係数が単数、複数いずれの場合でも、被問診対象者の属性データの有無を判断し（Ｓ１１）、属性データがある場合（Ｓ１１のＮｏ）、前記係数に対して反映させる属性データの数値の増減を演算する（Ｓ１２）。属性データがない場合（Ｓ１１のＹｅｓ）、次のステップに進む。
【００４９】
ところで、前記係数が非常に小さい場合、すなわち、罹患可能性が極めて低い場合は、問診結果として疾病名を表示する必要はない。そこで、表示すべき閾値（前記演算された係数が疾病として表示すべきレベルの値）を設け、演算された係数がこの閾値以上であるか否かの判断を行うようにすればよい（Ｓ１３）。そして、前記係数が閾値未満である場合は（Ｓ１３のＮｏ）、疾病として表示するレベルに至っていないと判断し、問診結果データには、特に該当する疾病が存在しないこと表示し、携帯電話Ｍに送信する（Ｓ１５）。一方、前記係数が閾値以上である場合は（Ｓ１３のＹｅｓ）、疾病名及び診療科目名を特定し（Ｓ１４）、問診結果データには、前記係数とともに、特定された疾病名及び診療科目名を表示し、携帯電話Ｍに送信する（Ｓ１５）。
【００５０】
〔第３の実施形態〕
図９は第３の実施形態にかかるサーバ１のブロック構成図である。第１の実施形態におけるサーバ１の構成要素と同一のものについては同一の符号を付し、詳細な説明は省略する。図１の自動問診システムが第３実施形態でも使用される。本実施の形態では、問診結果に表示された診療科目名に該当する診療が可能な病院をリストアップする機能を付加している。すなわち、サーバ１は、各診療科目名ごとに分類された病院情報を格納した病院情報格納部１１０を有し、問診結果生成部１０６で問診結果データを生成するために、疾病名/診療科目名データ格納部１０７から疾病名／診療科目名データを読み出すとともに、この読み出された疾病名／診療科目名データに該当する診療が可能な病院に関する病院情報を病院情報格納部１１０から読み出す。この病院情報には、病院名、所在地、連絡先などの病院情報が含まれている。
【００５１】
図１０は病院一覧を伴う問診結果ｒｓ３の表示例を示す図である。図４で説明した事項と同じ事項については同一の符号を付し、詳細な説明は省略する。前記ｒｓ１及びｒｓ２とは帳票イメージが異なるが、これは記載項目が増えたために、表形式にしたものであって、ｒｓ１、ｒｓ２、ｒｓ３、さらに、後述する他の問診結果の表示例においても、記載項目が網羅されていればよく、各実施の形態に示す帳票イメージに限定する趣旨ではない。各原因欄ｒｓ１２、ｒｓ１３に対して、疾病名、診療科目名、係数とともに、病院名が表示されるようになっている。すなわち、原因欄ｒｓ１２に対応する病院名ｒｓ３１と原因欄ｒｓ１３に対応する病院名ｒｓ３２が記載されている。
【００５２】
なお、原因欄ｒｓ１２、ｒｓ１３を表示する順序はランダムでもよいが、図１０で示すとおり、係数２２１、係数２３１に着目し、係数の降順で表示することが好ましい。すなわち、係数の降順で、疾病名、診療科目名、病院名が表示されれば、被問診対象者は、例えば、複数表示されている疾病名から、罹患可能性の高い順序に、表示されている病院に行けばよいため、無駄なドクターショッピングを回避することが可能になる。しかも、被問診対象者主導のオペレーションによって表示されるリストであるため、納得して受診することができる。
【００５３】
ところで、問診結果で表示された病院情報が、携帯電話Ｍから直接診療予約することができれば便利である。そこで、携帯電話Ｍに表示された問診結果から病院の予約フォームを表示した例を図１１示した。図１１で示す問診結果ｒｓ４では、病院名ｒｓ３１及びｒｓ３２がハイパーリンク可能に表示されている。このハイパーリンクを指定すると、予約フォームｒｆ１が表示される画面に変わる。問診予約フォームには、例えば、氏名、メールアドレス、連絡先、受診の希望日時の記入欄がある。また、問診結果を記載するようにしてもよい。なお、この予約フォームデータは、前記病院情報の中に含まれるようにすればよい。記入された予約フォームデータは、送信ボタンを押すことにより、直接病院の通信端末ｈ（図１参照）に送信されるようにすればよい。なお、図４で説明した事項と同じ事項については同一の符号を付し、詳細な説明は省略する。
【００５４】
問診結果ｒｓ４で列挙された複数の病院で受診する場合、すでに受診した病院があるときは、この受診した病院の診断結果データを次に受診する病院の予約とともに、添付して送信できるようにしてもよい。図１１の予約フォームｒｆ１では、下方にこの既に受診した病院の診断結果の添付が選択できるようになっている。このように、受診履歴が次の病院で参照できることにより、対面診療を行う医師の負担が軽減され、迅速な医療が実現する。また、この診断結果データは、被問診対象者の既往歴として、図５で説明した属性データ登録部１０９に自動的に追加されるようにしてもよい。なお、この診断結果データはサーバ１を介して病院の通信端末ｈから受信するようにすればよい。
【００５５】
図１２は病院一覧をソートする画面の表示例を示す図である。問診結果として、一つの原因欄（即ち、疾病名）に対して、複数の病院情報が読み出される場合がある。この場合、ランダムに病院を表示するだけでなく、携帯電話Ｍから所定のソート条件によって並び替えるようにしてもよい。本実施の形態では、問診結果ｒｓ５で病院名ｒｓ３１、ｒｓ３２に「複数あり」と表示し、携帯電話Ｍでこれを指定すると、ソート画面ｓｔ１が表示されるようにした。このソート条件は、所定の条件を選択するもののほか、検索フォームからキーワードを入力して一致するものを列挙するようにしてもよい。本実施の形態では、両方のソート条件を備えたものを示した。これらのソート条件を個々に使用し、あるいは組合せて使用することにより、列挙された病院名から、図１１で説明した予約フォームを表示させるようにしてもよい。図４で説明した事項と同じ事項については同一の符号を付し、詳細な説明は省略する。
【００５６】
なお、前記ソート条件としては、ＧＰＳ機能を利用して現在の位置情報から近隣の病院の一覧を表示するもの、本システムが備える予約機能を採択している病院を上位に表示するもの、本システムの利用に関する提携をして広告などを掲載している病院を上位に表示するものなど、多様なものが考えられる。なお、この広告掲載の価格は、診療科と地域によりオークション形式で変動するようにしてもよい。
【００５７】
本実施の形態では、病院情報として前記読み出された診療科目名に対応可能な病院名しか表示していないが、例えば、病院名をクリックすると更に詳細な病院情報が表示されたり、当該病院のホームページなどにジャンプするようにしてもよい。また、患者と医師の掲示板や病院の口コミ情報の登録機能を備えるようにしてもよい。
【００５８】
〔第４の実施形態〕
図１３は第４の実施形態にかかるサーバ１のブロック構成図を示したものである。第１の実施形態におけるサーバ１の構成要素と同一のものについては同一の符号を付し、詳細な説明は省略する。図１の自動問診システムが第４実施形態でも使用される。本実施の形態では、最終的診断された疾病名にかかる前記診断結果データをサーバ１で受付けて、これを問診結果データで表示された疾病名と比較して一致率を算出し、算出された一致率を前記係数とともに各疾病名データに付与する機能を追加している。この診断結果データの受付けから一致率の算出をし、疾病名/診療科目名データ格納部１０７の疾病名データに付与する処理は、フィードバック処理部１１１で行われる。
【００５９】
図１４はフィードバック処理部１１１で行われる処理工程の概略を示す図である。フィードバック処理部１１１では、問診結果生成部１０６で生成された問診結果データを読み出すとともに（Ｓ１０１）、最終的な診断結果データを受け取る（Ｓ１０２）。この診断結果データは、病院の通信端末ｈから、例えば、最終的な診断結果がなされた旨の表示とともに、送受信部１０１で受信して受付けるようにすればよい。双方のデータから、疾病名が一致するか否かの処理をする（Ｓ１０３）。このとき、診断結果データと問診結果データの疾病名が単に一致するか否かを判断するだけでなく、診断結果データで最終的に確定した疾病名が、問診結果データで前記係数の降順で表示された何番目の疾病名と一致するかによって、所定の係数を乗算した一致率を算出する。たとえば、前記降順の最初に表示された疾病名と診断結果データで確定した疾病名が一致すれば、１００％の一致率として算出するが、前記降順の２番目以降に表示された疾病名が診断結果データで確定した疾病名と一致する場合は、順次９０％、８０％などとなるように前記所定の係数を設定すればよい。一致率が算出されると、この一致率を疾病名/診療科目名データ格納部１０７の疾病名データの係数とともに、表示するように格納していけばよい（Ｓ１０４）。従って、次に、同一条件で問診結果データを生成する場合は、この一致率も表示されるようになる。なお、著しく一致率が低い場合や、新型のインフルエンザなどの場合は、この一致率を定期的にウォッチングし、一致率が向上するように前記係数を変更すれば、アップ・トゥー・デートで信頼性の高いシステムを構築することができる。
【００６０】
〔第５の実施形態〕
図１５は第５の実施形態にかかるサーバ１のブロック構成図を示したものである。第１の実施形態におけるサーバ１の構成要素と同一のものについては同一の符号を付し、詳細な説明は省略する。図１の自動問診システムが第５実施形態でも使用される。本実施の形態では、問診結果データから、症状に関連する商品やサービス情報を疾病名、診療科目名、係数、病院情報と併せて、あるいは、別に表示する機能を追加している。サーバ１は商品/サービス情報格納部１１２を有し、疾病名/診療科目名データが疾病名/診療科目名データ格納部１０７から読み出されると、この疾病名/診療科目名データに関連する商品/サービス情報を商品/サービス情報格納部１１２から読み出し、問診結果データにこの読み出された商品/サービス情報を含めて出力する。なお、読み出す商品/サービス情報は、疾病名データによって疾病名/診療科目名データと紐付けておけばよい。
【００６１】
図１６は商品/サービス情報を伴う問診結果の表示例を示す図である。商品/サービス情報は、問診結果が得られたときに、病院情報とともに、例えば、市販の薬品、健康食品、健康グッズなどの商品情報や、指圧サービス、湯治温泉、健康志向の料理を提供するレストラン、スポーツジムなどのサービス情報を提供してもよい。さらに、図８のＳ１３で説明したように、係数が閾値未満の症状の場合（いわゆる未病の場合）、問診結果の疾病名は「該当なし」であっても、何らかのケア情報提供のために、この症状改善に役立つ商品/サービスを表示させるようにしてもよい。図１６の問診結果ｒｓ６では、後者の疾病名として該当原因なしの場合に商品/サービス情報を表示させている。図４で説明した事項と同じ事項については同一の符号を付し、詳細な説明は省略する。なお、図示しないが、前記問診結果データに含まれる商品/サービス情報には、この商品/サービス情報が表示された携帯電話Ｍから、インターネット網Ｎを介して商品の購入データ、サービスの申込データを送信するための購入/申込入力フォームデータが含まれるようにしてもよい。この場合、携帯電話Ｍで購入/申込入力フォームに入力すると、直接店舗の通信端末ｓ（図１参照）に入力データが送信されるようにすればよい。
【００６２】
〔第６の実施形態〕
コンピュータを上記各実施形態のいずれかに記載のサーバ１として機能させるプログラムも本発明の範囲に含まれる。
【符号の説明】
【００６３】
１：サーバ
１０１：送受信部
１０２：問診票生成部
１０３：第１問診データ格納部
１０４：第２問診データ格納部
１０５：第３問診データ格納部
１０６：問診結果生成部
１０７：疾病名/診療科目名データ格納部
１０８：演算部
１０９：属性データ登録部
１１０：病院情報格納部
１１１：フィードバック処理部
１１２：商品/サービス情報格納部
【図１】
2011016447.tif 000003
【図２】
2011016447.tif 000004
【図３】
2011016447.tif 000005
【図４】
2011016447.tif 000006
【図５】
2011016447.tif 000007
【図６】
2011016447.tif 000008
【図７】
2011016447.tif 000009
【図８】
2011016447.tif 000010
【図９】
2011016447.tif 000011
【図１０】
2011016447.tif 000012
【図１１】
2011016447.tif 000013
【図１２】
2011016447.tif 000014
【図１３】
2011016447.tif 000015
【図１４】
2011016447.tif 000016
【図１５】
2011016447.tif 000017
【図１６】
2011016447.tif 000018
【手続補正書】
【提出日】平成23年10月25日(2011.10.25)
【手続補正１】
【補正対象書類名】特許請求の範囲
【補正対象項目名】全文
【補正方法】変更
【補正の内容】
【特許請求の範囲】
【請求項１】
通信端末から通信回線網を介して問診要求を受け付けて、この通信端末に問診票を表示させ、この問診票に対して前記通信端末により入力された入力データに基づいて、問診結果データを生成し、この問診結果データを前記通信端末に表示させるサーバを備えた自動問診システムであって、
前記サーバは、
身体上の部位又は上位の症状を示す第１問診データを格納した第１問診データ格納手段と、
前記第１問診データ格納手段の各部位で認められる症状又は前記上位の症状に対応する中位の症状を示す第２問診データを格納した第２問診データ格納手段と、
前記第２問診データ格納手段の各症状を程度別に細分化した下位の症状を示す第３問診データを格納した第３問診データ格納手段と、
前記第１乃至第３問診データ格納手段から前記問診データを読み出して前記問診票を生成する問診票生成手段と、
疾病名と前記疾病名に対して診察可能な診療科目名とを対応させ且つ前記疾病名に対して前記第３問診データごとに罹患可能性を示す係数を付して重み付けをした１以上の疾病名データを有する疾病名/診療科目データ格納手段と、
前記入力データに対応する疾病名/診療科目名を前記疾病名/診療科目データ格納手段から読み出して前記問診結果データを生成する問診結果生成手段とを備え、
前記問診票生成手段は、前記第１問診データ格納手段から前記第１問診データを読み出して第１問診票を生成し、前記第２問診データ格納手段から、前記第１問診票に対する第１入力データに対応する前記第２問診データを読み出して第２問診票を生成し、前記第３問診データ格納手段から、前記第２問診票に対する第２入力データに対応する前記第３問診データを読み出して第３問診票を生成し、前記問診結果生成手段は、前記第３問診票に対する第３入力データに基づいて前記疾病名/診療科目名を読み出し、
前記サーバは病院情報格納手段を有し、前記問診結果生成手段は、当該読み出された疾病名/診療科目データに該当する診療が可能な病院に関する病院情報を前記病院情報格納手段から読み出して、前記問診結果データに含め、
前記病院情報には、前記病院情報が表示された前記通信端末から、前記通信回線網を介して病院の予約が可能な予約入力フォームデータが含まれており、
前記予約入力フォームデータから前記病院の予約を行う場合に、前記問診結果データに表示されている前記病院情報のうち既に受診した病院があるときは、前記予約を示すデータの送信とともに、当該受診した病院の診断結果データを転送する転送手段と、
前記問診結果データで表示された疾病名と前記診断結果データで最終的に診断された疾病名との一致率を算出するフィードバック処理手段とを有し、
前記疾病名/診療科目データ格納手段は、前記一致率を前記係数とともに、前記疾病名データの各々に付与することを特徴とする自動問診システム。
【請求項２】
前記問診結果生成手段は、前記疾病名/診療科目データ格納手段から、疾病名／診療科目データから疾病名/診療科目名とともに前記係数が読み出され、読み出された疾病名/診療科目名及び前記係数から問診結果データを生成することを特徴とする請求項１記載の自動問診システム。
【請求項３】
前記問診結果生成手段は、単一の前記疾病名データに対応する第３問診データから第３入力データが複数入力されると、この入力された第３問診データで付与されている各係数を加算し、前記単一の疾病名データに対する係数を求める演算手段を有することを特徴とする請求項２記載の自動問診システム。
【請求項４】
前記問診結果生成手段は、前記係数が、所定の閾値以上の疾病名データと一致する疾病名を疾病名／診療科目データ格納手段から読み出すことを特徴とする請求項２または請求項３記載の自動問診システム。
【請求項５】
前記入力データに被問診対象者の属性データを含め、前記演算手段は、入力された属性データに基づいて、前記係数に対して所定の数値を増減させることを特徴とする請求項２から請求項４までのいずれかに記載の自動問診システム。
【請求項６】
前記サーバは前記属性データを登録する属性データ登録手段を有し、前記演算手段は、前記第３入力データを入力した被問診対象者の属性データを前記属性データ登録手段から読み出して、前記係数に対して読み出された属性データに基づく前記所定の数値の増減を行うことを特徴とする請求項５記載の自動問診システム。
【請求項７】
前記問診結果生成手段は、複数の疾病名に対して、前記病院情報格納手段から各々異なる病院情報データが読み出されると、問診結果データを前記係数の降順で疾病名を並び替えるとともに、これらの疾病名に前記各病院情報を対応させて生成することを特徴とする請求項１記載の自動問診システム。
【請求項８】
前記問診結果生成手段は、前記病院情報格納手段から、同一の疾病名に対して複数の病院情報が読み出されると、問診結果データによって表示される複数の病院情報を前記通信端末から前記通信回線を介して指定された所定のソート条件に従って並び替えて生成することを特徴とする請求項１記載の自動問診システム。
【請求項９】
前記問診結果生成手段は、前記読み出された病院情報のうち、前記通信端末から入力されたキーワードと一致する情報を含む病院情報を検索する検索手段を有し、この検索によって絞り込まれた病院情報データに基づいて前記並び替えを行うことを特徴とする請求項７又は請求項８記載の自動問診システム。
【請求項１０】
前記診断結果データは、前記属性データの既往歴として属性データ登録手段に追加されることを特徴とする請求項１記載の自動問診システム。
【請求項１１】
前記サーバは商品/サービス情報格納手段を有し、前記問診結果生成手段は、前記読み出された疾病名/診療科目データに対して関連する商品またはサービス情報を前記商品/サービス情報格納手段から読み出して、問診結果データにこの読み出された商品またはサービス情報を含めて出力することを特徴とする請求項１から請求項１０までのいずれかに記載の自動問診システム。
【請求項１２】
前記問診結果データに含まれる商品/サービス情報には、この商品/サービス情報が表示された前記通信端末から、前記通信回線網を介して商品の購入データ、サービスの申込データを送信するための購入/申込入力フォームデータが含まれることを特徴とする請求項１１記載の自動問診システム。
【請求項１３】
前記問診結果生成手段は、前記所定の閾値未満の疾病名データに対して、関連する商品またはサービス情報を前記商品/サービス情報格納手段から読み出して、この読み出した商品またはサービス情報に基づいて問診結果データを生成することを特徴とする請求項１１または請求項１２記載の自動問診システム。
【請求項１４】
コンピュータを請求項１から請求項１３のいずれかに記載のサーバとして機能させるプログラム。
【請求項１５】
通信端末から通信回線網を介して問診要求を受け付けて、この通信端末に問診票を表示させ、この問診票に対して前記通信端末により入力された入力データに基づいて、問診結果データ生成し、この問診結果データを前記通信端末に表示させる自動問診方法であって、
前記問診要求があると、身体上の部位又は上位の症状が列挙された第１問診票を生成し、前記通信端末に送信するステップと、
この第１問診票に対して前記通信端末で身体上の部位又は上位の症状から選択がなされた第１入力データを受信するステップと、
前記受信した第１入力データに対応する身体上の部位で認められる症状又は前記上位の症状に対応する中位の症状を列挙した第２問診票を生成し、前記通信端末に送信するステップと、
この第２問診票に対して前記通信端末で、前記身体上の部位で認められる症状又は前記中位の症状から選択がなされた第２入力データを受信するステップと、
受信した前記第２入力データに対応する各症状を程度別に細分化した下位の症状を列挙した第３問診票を生成し、前記通信端末に送信するステップと、
この第３問診票に対して前記通信端末で、前記下位の症状から選択がなされた第３入力データを受信するステップと、
予め、第３問診票に列挙された前記下位の症状に対応させた疾病名及び診療科目名のデータを格納し、前記第３入力データに対応する疾病名及び診療科目名を読み出すステップと、
読み出された疾病名及び診療科目名を問診結果データとして前記通信端末に送信するステップとを有し、
前記問診結果データには、当該読み出された疾病名/診療科目データに該当する診療が可能な病院に関する病院情報が含まれており、
前記病院情報には、前記病院情報が表示された前記通信端末から、前記通信回線網を介して病院の予約が可能な予約入力フォームデータが含まれており、
前記予約入力フォームデータから前記病院の予約を行う場合に、前記問診結果データに表示されている前記病院情報のうち既に受診した病院があるときは、前記予約を示すデータの送信とともに、当該受診した病院の診断結果データを転送するステップを含み、
前記疾病名には、第３問診データごとに罹患可能性を示す係数を付して重み付けをし、前記疾病名及び診療科目名を読み出すときに、併せてこの係数も読み出して問診結果データに含めることを特徴とする自動問診方法。
【請求項１６】
前記下位の症状から複数の選択がなされた第３入力データにより読み出された疾病名に複数の係数が付されている場合は、各係数を加算して前記問診結果データに表示する係数とすることを特徴とする請求項１５記載の自動問診方法。
【請求項１７】
前記係数に対して所定の閾値を設け、前記読み出された係数又は加算された係数がこの所定の閾値以上の場合は、前記問診結果データに、前記係数と共に前記疾病名及び診療科目名を表示し、閾値未満の場合は、前記問診結果データとして表示すべき疾病名が存在しないことを表示することを特徴とする請求項１５又は請求項１６記載の自動問診方法。
【手続補正２】
【補正対象書類名】明細書
【補正対象項目名】００１５
【補正方法】変更
【補正の内容】
【００１５】
本発明にかかる自動問診システムは、通信端末から通信回線網を介して問診要求を受け付けて、この通信端末に問診票を表示させ、この問診票に対して前記通信端末により入力された入力データに基づいて、問診結果データを生成し、この問診結果データを前記通信端末に表示させるサーバを備えた自動問診システムである。前記サーバは、身体上の部位又は上位の症状を示す第１問診データを格納した第１問診データ格納手段と、前記第１問診データ格納手段の各部位で認められる症状又は前記上位の症状に対応する中位の症状を示す第２問診データを格納した第２問診データ格納手段と、前記第２問診データ格納手段の各症状を程度別に細分化した下位の症状を示す第３問診データを格納した第３問診データ格納手段と、前記第１乃至第３問診データ格納手段から前記問診データを読み出して前記問診票を生成する問診票生成手段と、疾病名とこの疾病名に対して診察可能な診療科目名とを対応させ且つ前記疾病名に対して前記第３問診データごとに罹患可能性を示す係数を付して重み付けをした１以上の疾病名データを有する疾病名/診療科目データ格納手段と、前記入力データに対応する疾病名/診療科目名を前記疾病名/診療科目データ格納手段から読み出して問診結果データを生成する問診結果生成手段とを備える。前記問診票生成手段は、前記第１問診データ格納手段から前記第１問診データを読み出して第１問診票を生成し、前記第２問診データ格納手段から、前記第１問診票に対する第１入力データに対応する前記第２問診データを読み出して第２問診票を生成し、前記第３問診データ格納手段から、この第２問診票に対する第２入力データに対応する前記第３問診データを読み出して第３問診票を生成する。前記問診結果生成手段は、前記第３問診票に対する第３入力データに基づいて上記疾病名/診療科目名を読み出し、前記サーバは病院情報格納手段を有し、前記問診結果生成手段は、当該読み出された疾病名/診療科目データに該当する診療が可能な病院に関する病院情報を前記病院情報格納手段から読み出して、前記問診結果データに含め、前記病院情報には、前記病院情報が表示された前記通信端末から、前記通信回線網を介して病院の予約が可能な予約入力フォームデータが含まれており、前記予約入力フォームデータから前記病院の予約を行う場合に、前記問診結果データに表示されている前記病院情報のうち既に受診した病院があるときは、前記予約を示すデータの送信とともに、当該受診した病院の診断結果データを転送する転送手段と、前記問診結果データで表示された疾病名と前記診断結果データで最終的に診断された疾病名との一致率を算出するフィードバック処理手段とを有し、前記疾病名/診療科目データ格納手段は、前記一致率を前記係数とともに、前記疾病名データの各々に付与する。
【国際調査報告】
2011016447.tif 000019
2011016447.tif 000020
2011016447.tif 000021
2011016447.tif 000022